(57)【要約】基地局（ＢＳ１）から第１のモバイル通信デバイス（ＭＳ１）に送信された通信信号にある非ＧＰＳタイミング情報からＧＰＳ時間の推定値を提供する方法は、（ｉ）第２のモバイル通信デバイス（ＭＳ２）において、基地局により送信された通信信号にある対応非ＧＰＳタイミング信号を受信するステップと、（ｉｉ）第２のモバイル通信デバイス（ＭＳ２）のＧＰＳ受信機（２３，２４）において、ＧＰＳ衛星（ＧＰＳＳＶ）に対する少なくとも一つの擬似範囲を得て、ＧＰＳ時間の第１の推定値を得るステップと、（ｉｉｉ）ステップ（ｉ）で受信したタイミング信号の受信と、ステップ（ｉｉ）で得られたＧＰＳ時間の推定値との間の関係を導出するステップと、（ｉｖ）第１のモバイル通信デバイス（ＭＳ１）により受信された非ＧＰＳタイミング情報とステップ（ｉｉｉ）で導出された関係とからＧＰＳ時間の第２の推定値を計算するステップと、を有する。
2004522172.tif 000002
【特許請求の範囲】
【請求項１】
基地局から第１のモバイル通信デバイスに送信された通信信号にある非ＧＰＳタイミング情報からＧＰＳ時間の推定値を提供する方法であって、前記方法は、
（ｉ）第２のモバイル通信デバイスにおいて、前記基地局により送信された通信信号にある対応非ＧＰＳタイミング情報を受信するステップと、
（ｉｉ）前記第２のモバイル通信デバイスのＧＰＳ受信機において、ＧＰＳ衛星に対する少なくとも一つの擬似範囲を得て、ＧＰＳ時間の第１の推定値を得るステップと、
（ｉｉｉ）ステップ（ｉ）で受信されたタイミング信号の受信と、ステップ（ｉｉ）で得られたＧＰＳ時間の推定値との間の関係を導出するステップと、
（ｉｖ）前記第１のモバイル通信デバイスにより受信された非ＧＰＳタイミング情報と、ステップ（ｉｉｉ）で導出された関係とから、ＧＰＳ時間の第２の推定値を計算するステップと、
を有する方法。
【請求項２】
請求項１記載の方法であって、前記第１及び第２のモバイル通信デバイスは、前記モバイル通信デバイスと前記基地局との間で送られた伝送の伝送時間における変動を考慮した方法において前記基地局と同期する方法。
【請求項３】
請求項１又は請求項２記載の方法であって、前記基地局は、ＧＰＳ受信機を使用して同期しないセルラー電話ネットワークのいくつかのそのような基地局の一つである方法。
【請求項４】
請求項１から請求項３のいずれか一項記載の方法であって、前記第２のモバイル通信デバイスの前記ＧＰＳ受信機は、ＧＰＳ時間の推定値を得るためにそれぞれのＧＰＳ衛星に対する少なくとも４つの擬似範囲を得る方法。
【請求項５】
請求項１から請求項４のいずれか一項記載の方法であって、前記ステップ（ｉｖ）の前記計算は、前記第１のモバイル通信デバイスにおいて行われる方法。
【請求項６】
請求項１から請求項５のいずれか一項記載の方法であって、前記第１のモバイル通信デバイスがＧＰＳ受信機を有し、前記ＧＰＳ時間の推定値が迅速に捕捉されたＧＰＳ信号に対して使用される方法。
【請求項７】
請求項１から請求項５のいずれか一項記載の方法であって、前記ＧＰＳ時間の推定値は、ＧＰＳ時間ベースのタイムスタンプを提供するために使用される方法。
【請求項８】
請求項７記載の方法であって、前記第１のモバイル通信デバイスがＧＰＳ受信機を有しない方法。
【請求項９】
請求項１から請求項８のいずれか一項記載の方法であって、ステップ（ｉｉｉ）で導出された前記関係は、前記モバイル通信デバイスから離れて位置するサーバに格納されたデータベースにアップロードされる方法。
【請求項１０】
請求項９記載の方法であって、前記データベースは、前記関係から並びに、同じ基地局と通信する前記第１及び他のモバイル通信デバイスにより受信された非ＧＰＳタイミング情報からＧＰＳ時間の第２の推定値を計算するためのステップ（ｉｉｉ）で導出される関係を検索するためにアクセスされ得る方法。
【請求項１１】
請求項９又は請求項１０記載の方法であって、前記基地局は、ＧＰＳ受信機を用いて同期しないセルラー電話ネットワークのいくつかのそのような基地局の一つであり、前記データベースは、少なくとも２つのそのような基地局に対してステップ（ｉｉｉ）で導出されたタイプの関係を含む方法。
【請求項１２】
請求項９から請求項１１のいずれか一項記載の方法であって、前記サーバがウェブベースであり、インターネット上でアクセス可能である方法。
【請求項１３】
請求項９から請求項１１のいずれか一項記載の方法であって、前記データベースがネットワークシステムコントローラに接続される方法。
【請求項１４】
基地局と、第１及び第２のモバイル通信デバイスとを有するシステムであって、前記システムは、前記基地局により前記第２のモバイル通信デバイスに送信された通信信号にある非ＧＰＳタイミング信号と、前記第２のモバイル通信デバイスのＧＰＳ受信機から得られたＧＰＳ時間の第１の推定値との間の関係を導出するように、並びに前記関係と、前記第１のモバイル通信デバイスにより受信された非ＧＰＳタイミング情報とを用いて、ＧＰＳ時間の第２の推定値を得るように、構成されたシステム。
【請求項１５】
請求項１４記載のシステムであって、前記第１及び第２のモバイル通信デバイスの両方は、前記モバイル通信デバイスと前記基地局との間で送られる伝送の伝送時間の変動を考慮する方法で前記基地局と同期するシステム。
【請求項１６】
請求項１４又は請求項１５記載のシステムであって、前記基地局は、セルラー電話ネットワークにおけるいくつかのそのような非同期基地局の一つであるシステム。
【請求項１７】
請求項１４から請求項１６のいずれか一項記載のシステムであって、前記ＧＰＳ時間の第２の推定値は、前記第１のモバイル通信デバイスにおいて得られるシステム。
【請求項１８】
請求項１４から請求項１７のいずれか一項記載のシステムであって、前記第１のモバイル通信デバイスはＧＰＳ受信機を有し、前記ＧＰＳ時間の第２の推定値は迅速に捕捉されるＧＰＳ信号のために使用されるシステム。
【請求項１９】
請求項１４から請求項１７のいずれか一項記載のシステムであって、前記ＧＰＳ時間の第２の推定値は、ＧＰＳ時間ベースのタイムスタンプを提供するために使用されるシステム。
【請求項２０】
請求項１９記載のシステムであって、前記第１のモバイル通信デバイスは、ＧＰＳ受信を有しないシステム。
【請求項２１】
請求項１４から請求項１９のいずれか一項記載のシステムであって、前記モバイル通信デバイスから離れて配置されたサーバをさらに有し、そこにステップ（ｉｉｉ）で導出された関係がアップロードされるデータベースを格納するシステム。
【請求項２２】
請求項２１記載のシステムであって、前記データベースは、前記関係から、並びに前記同じ基地局と通信する第１及び他のモバイル通信デバイスにより受信された非ＧＰＳタイミング情報から、のＧＰＳ時間の第２の推定値を計算するステップ（ｉｉｉ）で導出された関係を検索するためにアクセスされ得るシステム。
【請求項２３】
請求項２１又は請求項２２記載のシステムであって、前記基地局は、ＧＰＳ受信機を使用して同期しないセルラー電話ネットワークのいくつかのそのような基地局の一つであり、前記データベースは、少なくとも２つのそのような基地局に対するステップ（ｉｉｉ）で導出されるタイプの関係を含むシステム。
【請求項２４】
請求項２１から請求項２３のいずれか一項記載のシステムであって、前記サーバがウェブベースであり、インターネット上でアクセス可能であるシステム。
【請求項２５】
請求項２１から請求項２３のいずれか一項記載のシステムであって、前記データベースは、ネットワークシステムコントローラに接続されるシステム。
【請求項２６】
ＧＰＳ受信機を有し、基地局により送信されデバイスにより受信された通信信号にある非ＧＰＳタイミング信号の受信と、前記ＧＰＳ受信機を用いて得られたＧＰＳ時間の推定値との間の関係を述べる対応通信基地局情報を送信するモバイル通信デバイス。
【請求項２７】
基地局により送信された通信信号にあるＧＰＳタイミング信号と、ＧＰＳ時間との間の関係を述べる対応通信基地局情報から受信する通信受信機と、モバイル通信デバイスでのＧＰＳ時間の推定値を得るための関係を用いるプロセッサと、を有し、前記モバイル通信デバイスは、ＧＰＳ受信機を用いて同期しないセルラー電話ネットワークのいくつかのそのような基地局の一つである基地局と通信可能であるモバイル通信デバイス。
【請求項２８】
請求項２７記載のモバイル通信デバイスであって、前記モバイル通信デバイスは、全く同期しないセルラー電話ネットワークのいくつかのそのような基地局の一つである基地局と通信を行うことができるモバイル通信デバイス。
【請求項２９】
基地局により送信された通信信号にあるＧＰＳタイミング信号と、ＧＰＳ時間との間の関係を述べる対応通信基地局情報から受信する通信受信機と、モバイル通信デバイスでのＧＰＳ時間の推定値を得るための関係を用いるプロセッサと、を有し、前記モバイル通信デバイスは、ＧＰＳ受信機を有しないモバイル通信デバイス。
【発明の詳細な説明】
【０００１】
【発明の属する技術分野】
本発明は、基地局からモバイル通信デバイスに送信された通信信号にある非ＧＰＳタイミング情報からＧＰＳ時間の推定値を提供する方法及びその装置に関する。
【０００２】
【従来の技術】
受信ＧＰＳ信号を捕捉するために、レプリカＧＰＳ衛星擬似ランダムノイズ（ＰＲＮ）コード信号を連続して発生し、受信ＧＰＳ信号と相関をとる、ＧＰＳ受信機はよく知られている。一般に、レプリカコードが受信ＧＰＳ信号のコード位相と異なるコード位相を有し、また受信機と軌道衛星との間のドップラーシフトのために異なる周波数を有する可能性があるので、二次元コード周波数／位相掃引を使用し、それによりそのような掃引で、最終的には、局所的に発生したレプリカの周波数及びコード位相と同じ周波数及びコード位相を有する到来ＰＲＮコードを結果として生じる。もし検出されたら、コードは捕捉され追跡され、擬似範囲（ｐｓｅｕｄｏｒａｎｇｅ）情報が検索され得る。それは、受信機の位置が従来のナビゲーションアルゴリズムを用いて計算され得る。
【０００３】
さらに、コールのあった、特に緊急サービスに対する緊急コールの場所を決定することをセルラ電話ネットワークのオペレータに可能にするため、そのようなＧＰＳ受信機を組み込んだモバイルセルラ電話を提供することは既知である。もちろん、緊急コールについては、できるだけすぐにコール場所に対して利用可能になることが望ましいが、ＧＰＳ受信機が最新の暦データにアクセスしない「コールドスタート（ｃｏｌｄ ｓｔａｒｔ）」から、さらに悪くはＧＰＳ受信機が最新の日付表を有しない「ファクトリーコールドスタート（ｆａｃｔｏｒｙ ｃｏｌｄ ｓｔａｒｔ）」から、最初に修復されるまでの時間（ＴＴＦＦ（ｔｉｍｅ ｔｏ ｆｉｒｓｔ ｆｉｘ））が３０秒と１５分との間のどこかである。
【０００４】
ＴＴＦＦを減少するために、ＧＰＳ受信機は、ＧＰＳ信号をより早く捕捉するために基地局支援（ｂａｓｅ ｓｔａｔｉｏｎ ａｓｓｉｓｔａｎｃｅ）を備え得る。そのような支援は、ＧＰＳ受信機で使用されるローカルオシレータ、最新の衛星日付表のデータメッセージ、及び衛星を考慮してドップラーシフトが決定され得る暦データをキャリブレーションするための正確なキャリア周波数参照信号の受信機への基地局による提供を含む。そのような支援で、ターゲットＰＲＮコードが使用するために既知である、狭い範囲の周波数及びコード位相のみを掃引することが可能である。それによりチェックされるために必要であるコード例の数が減少し、それゆえコード捕捉のための時間が減少する。基地局支援はさらに、ＵＳＰ５，８４１，３９６及びＵＳＰ５，８７４，９１４に記述されている。この内容はここに含めておく。
【０００５】
ＧＰＳ信号をよりいっそう早く捕捉するために、いかなるＧＰＳ信号をも逆拡散する前に、ＧＰＳ時間の正確な推定値を所有するＧＰＳ受信機が望ましい。ＧＰＳ時間の正確な推定値、ＧＰＳ受信機場所の位置の大雑把な推定、及びＧＰＳ衛星軌道の認識で、データビット極性、データビットエッジのタイミング及びコード位相のような到来ＧＰＳ信号のさらなる様子を予測することが可能であり、それでＧＰＳ信号をより早く捕捉する。
【０００６】
ＵＳＰ５，９４５，９４４は、モバイルセルラー電話がＧＰＳ受信機を有し、対応ネットワーク基地局から電話で受信した送信に含まれるネットワークタイミング情報からＧＰＳタイミング情報を導出する、構成が開示されている。これは、ＩＳ−９５及びＣＤＭＡ２０００規格に準拠するもののようなネットワークに対して特に便利である。それは、それらの基地局がそれらの同期を保証するためにＧＰＳ受信機を含むからである。しかしながら、ＵＳＰ５，９４５，９４４で知られているように、すべてのネットワークが基地局間でそのように同期しているわけではない。
【０００７】
ＵＳＰ５，９４５，９４４の第１６欄の第３８行目から第５３行目は、非同期ネットワークにおいてＧＰＳ時間を得る方法を開示することを趣旨としている。特に、それぞれのＧＰＳ基地局がセルサイトのタイミング情報にアクセスすることを必要とする問題は、セル内のリモートユニットの場所に関係なく、そのセルに対する絶対時間がＧＰＳ基地局とリモートユニットとの間で協働され得るように、それぞれのセルに位置する一連のセルラー電話を有することにより部分的に解決されることを述べている。この僅かに制限された開示から、そのような非同期ネットワークにおいて、実際にどのようにＧＰＳ時間を得ることを達成するかについては明らかではない。
【０００８】
したがって、本発明の目的は、特に、基地局が、ＧＰＳ受信機を用いて同期しないセルラー電話ネットワークにおけるいくつかのそのような基地局の一つである、基地局からモバイル通信デバイスに送信された通信信号にある非ＧＰＳタイミング情報からＧＰＳ時間の推定値を与える方法を提供することである。
【０００９】
【課題を解決するための手段】
本発明によれば、そのような方法は、（ｉ）第２のモバイル通信デバイスにおいて、基地局により送信された通信信号にある対応非ＧＰＳタイミング信号を受信し、（ｉｉ）第２のモバイル通信デバイスのＧＰＳ受信機において、ＧＰＳ衛星に対する少なくとも一つの擬似範囲を得ると共にＧＰＳ時間の推定値を得て、（ｉｉｉ）ステップ（ｉ）において受信したタイミング信号の受信とステップ（ｉｉ）で得たＧＰＳ時間の推定値との間の関係を導出し、（ｉｖ）第１のモバイル通信デバイスにより受信した非ＧＰＳタイミング情報とステップ（ｉｉｉ）で導出した関係とからＧＰＳ時間の推定値を算出する、ステップを有することを提供する。
【００１０】
上記方法は、ＧＰＳ時間の推定値が、例えば、第１のモバイル通信デバイスのＧＰＳ受信機においてＧＰＳ信号を迅速に捕捉し、又はＧＰＳ時間ベースのタイムスタンプを提供するために使用され得る第１のモバイル通信において、提供されることを可能にする。後者の場合において、第１のモバイル通信は、ＧＰＳ受信機を厳密には必要としない。
【００１１】
好ましい方法において、第１及び第２のモバイル通信デバイスの両方は、モバイル通信デバイスと基地局との間で送られた伝送の伝送時間における変動を考慮する態様で基地局と同期する。これは、ＧＰＳ時間の推定値に、第１及び第２のモバイル通信デバイスの両方の場所の独立性が提供されることを可能にする。
【００１２】
また、対応ＧＰＳ衛星及び第２のモバイル通信デバイスの場所の推定と組み合わせたＧＰＳ衛星の単一の擬似領域が、ＧＰＳ時間の推定値を得るために使用され得る一方、そのような場所情報がそのとき必要とされないとしても、第２のモバイル通信デバイスのＧＰＳ受信機がそれぞれのＧＰＳ衛星に対する少なくとも４つの擬似領域を得ることが好ましい。
【００１３】
到来ＧＰＳ信号を同時に逆拡散することを可能にするように、第１のモバイル通信デバイスにおいて計算ステップ（ｉｖ）が行われることが通常期待される。しかしながら、ＧＰＳ信号（場合によっては、スナップショット（ｓｎａｐｓｈｏｔ）と呼ぶ）のサンプルは、基地局を介してリモートコンピュータに対してアップロードされ得ることが分かる。そして、スナップショット時間が非ＧＰＳタイミング情報でタイムスタンプされるならば、（ｉｖ）の計算及びその後のＧＰＳ信号の逆拡散がリモートコンピュータで行われる。
【００１４】
非ＧＰＳタイミング信号の受信とステップ（ｉｉｉ）で導出されたＧＰＳ時間の推定値との間の関係は、モバイル通信デバイスから離れて位置するサーバで保持されたデータベースにアップロードされ得る。例えば、一方がウェブサーバに保持され、インターネット上の第１のモバイル通信デバイスによりアクセスされ得るか、あるいは一方がネットワークシステムコントローラに接続される。
【００１５】
理想的には、データベースは、第１のモバイル通信デバイスによるだけでなく、同じ基地局に登録された他のモバイル通信デバイスによりアクセスされ得る。また、基地局が、ＧＰＳ受信機を用いて同期しないセルラー電話ネットワークのいくつかのそのような基地局の一つであるとき、データベースは、好ましくは少なくとも２つのそのような基地局に対するステップ（ｉｉｉ）で導出されたタイプの関係を含む。
【００１６】
さらに、本発明によれば、請求項１４から請求項２５で請求された基地局並びに第１及び第２のモバイル通信デバイスとを含む対応システムと、請求項２６から請求項２９で請求されたモバイル通信デバイスとを提供する。
【００１７】
【発明の実施の形態】
本発明に係る方法及び対応する装置は、ここでは実施例の目的としてのみ添付図面に関して記載されるであろう。
【００１８】
従来のＧＳＭセルラー電話ネットワーク１の地理的レイアウトは、図１に概略的に示される。このネットワークは、それぞれ互いに離隔した地理的場所に設置された、複数の基地局ＢＳ、すなわちＢＳ１〜ＢＳ７で示される７つの基地局を含む。これらの基地局のそれぞれは、いずれか一つのサイト又はサービスエリアでの中継（ｔｒｕｎｋｉｎｇ）システムコントローラにより操作される無線送信機及び受信機の全体を含む。これらの基地局のそれぞれのサービスエリアＳＡ１〜ＳＡ７は、斜線で示されるように、示された全領域を一括してカバーするためにオーバーラップする。システムはさらに、それぞれの基地局ＢＳ１〜ＢＳ７にそれぞれ対する相互通信リンクＣＬ１−ＣＬ７を備えたシステムコントローラＳＣを有する。これらの通信リンクのそれぞれは、例えば専用地上ラインがなり得る。システムコントローラＳＣはさらに、モバイルセルラー電話ＭＳ１とそのネットワークに対する加入者との間で通信を行うことを可能にするために、公衆交換電話ネットワーク（ＰＳＴＮ）に接続され得る。システムコントローラＳＣはデータベース１０に接続される。その機能は後述する。複数のモバイルセルラー電話ＭＳは、３つのＭＳ１、ＭＳ２及びＭＳ３で示されるものが提供され、それぞれは、全領域にわたって、実際はその外に自由にローミングすることができる。モバイルセルラー電話ＭＳ１及びＭＳ２は、基地局ＢＳ１によりサービスされる領域にともに置かれる。
【００１９】
図２は、モバイルセルラー電話が登録された基地局ＢＳ１との通信のための、通信アンテナ２０に接続され、マイクロプロセッサ（μｃ）２２により制御される通信送信機（Ｃｏｍｍ Ｔｘ）及び受信機（Ｃｏｍｍ Ｒｘ）２１をそれぞれ有するモバイルセルラー電話ＭＳ１，ＭＳ２の構成をより詳細に示す。セルラー電話ネットワーク内での相互通信のためのそのような電話の設計及び製造は既知であり、本発明の一部を形成しない部分は、ここでは詳しく述べない。
【００２０】
モバイル電話の従来の部品に加えて、電話ＭＳ１，ＭＳ２はさらに、軌道に乗っているＧＰＳ衛星から送信されたＧＰＳスペクトラム拡散信号を受信するための、ＧＰＳアンテナ２３に接続され、マイクロプロセッサ（μｃ）２２により制御されたＧＰＳ受信機（ＧＰＳ Ｒｘ）２４を有する。操作の際、ＧＰＳ受信機２４は、アンテナ２３を介してＮＡＶＳＴＡＲ ＳＰＳ ＧＰＳ信号を受信し、帯域外ＲＦ干渉を最小にするためのパッシブバンドパスフィルタリング、前増幅、中間周波数（ＩＦ）へのダウンコンバート、及びアナログ／ディジタル変換により、通常それらを前処理し得る。その結果、ディジタル化されたＩＦ信号は、入手可能な衛星からの全ての情報をいまだ含んで変調された状態であり、マイクロプロセッサ２２のメモリ（図示せず）に送られる。ＧＰＳ信号は、モバイル電話の位置が従来のナビゲーションアルゴリズムを用いて決定され得る、擬似範囲情報を得る目的で、その後いくつかの、通常１２までのディジタル受信機チャネルすべてにおいて捕捉され、追跡される。そのようなＧＰＳ信号捕捉・追跡方法は既知であり、例えばＧＰＳ Ｐｒｉｎｃｉｐｌｅｓ ａｎｄ Ａｐｐｌｉｃａｔｉｏｎｓ （Ｅｄｉｔｏｒ， Ｋａｐｌａｎ） ＩＳＢＮ ０−８９００６−７９３−７ Ａｒｔｅｃｈ Ｈｏｕｓｅの第４章（ＧＰＳ ｓａｔｅｌｌｉｔｅ ｓｉｇｎａｌ ｃｈａｒａｃｔｅｒｉｓｔｉｃｓ）及び第５章（ＧＰＳ ｓａｔｅｌｌｉｔｅ ｓｉｇｎａｌ ａｃｑｕｉｓｉｔｉｏｎ ａｎｄ ｔｒａｃｋｉｎｇ）にある。示される通常目的のマイクロプロセッサ２２は、基地局通信とＧＰＳ処理との両方を制御するが、これらはもちろん、例えば２つ又はそれ以上の集積回路（ＩＣｓ）を用いて達成され得ることが分かる。
【００２１】
知られているように、万が一モバイルセルラー電話ＭＳ１のユーザが緊急コールをし、相互通信リンクＣＬ１を介してシステムコントローラＳＣの制御下である場合には、モバイルセルラー電話ＭＳ１から基地局に、その後ＵＳにおける公衆安全回答ポイント（ＰＳＡＰ）と呼ばれる緊急サービスオペレータに位置が送信され得る。位置を得るために及び本発明にしたがって、モバイル電話ＭＳ１のＧＰＳプロセッサ２５は、以下に記述するステップ（１）〜（３）に記述されるように到来ＧＰＳ信号を捕捉する。
【００２２】
ステップ（１）  モバイルセルラー電話ＭＳ２は、セルラー電話ＭＳ１の近くに位置し、同じＧＳＭ基地局に登録されている。緊急コールが電話ＭＳ１を用いてされる前のしばらくの間、電話ＭＳ２は、位置を得る目的で４つの擬似範囲を得て、そうするときにＧＰＳ時間を決定することができる。電話ＭＳ２が「ローカル」ＧＳＭ時間（すなわち、ハイパー、スーパー、マルチ及びシングルフレーム数並びにタイムスロット情報の一緒の形でサービング（ｓｅｒｖｉｎｇ）基地局ＢＳ１に関係するＧＳＭタイミング情報）を受信するので、ローカルＧＳＭ時間とＧＰＳ時間との間の関係を導出することができる。この関係は、その後それがデータベース１０に格納されるシステムコントローラに基地局ＢＳ１を介してアップロードされる。
【００２３】
ステップ（２）  相互通信リンクＣＬ１を介してシステムコントローラＳＣの制御下で、基地局ＢＳ１は、最新の日付表及び暦データを提供する。このデータは、システムコントローラ（すなわち、基地局ＢＳ１の近くで又は基地局Ｂ１である必要はない）に接続されたＧＰＳ受信機により、あるいは電話ネットワークのいずれかの場所に配置されたモバイルセルラー電話におけるＧＰＳ受信機により提供され得る。
【００２４】
ステップ（３）  最新の日付表及び暦データに加えて、基地局ＢＳ１は、ＧＭＳ時間とＧＰＳ時間との関係をモバイルセルラー電話に送信する。モバイルセルラー電話ＭＳ１が同じ基地局ＢＳ１に登録されるので、それゆえ同じローカルＧＳＭ時間を所有し、ＧＰＳ時間を推定することができる。モバイルセルラー電話ＭＳ１は、（ｉ）受信した暦データと組み合わせて、捕捉前に到来ＧＰＳ信号の周波数及びコード位相を推定し、それによりコード位相サーチの範囲を減少させ、捕捉をスピードアップし、（ｉｉ）単一の捕捉プロセスにおいてコヒーレント相関のみが使用されることを保証するためにデータビットエッジのタイミングを予測し、それにより弱いＧＰＳ信号が捕捉されることを可能にするために、ＧＰＳのこの推定値を使用する。
【００２５】
ＧＳＭ基地局クロックは通常、０．１ｐｐｍよりも良い精度を有するルビジウムクロックである。しかしながら、ＧＰＳ時間及びＧＳＭ時間の両方が非常に安定している場合、ＧＰＳ時間の推定における不正確さは、ＧＰＳ時間とＧＳＭ時間との間の関係がモバイル電話ＭＳ２において確立されるときから、ＧＰＳ時間とＧＳＭ時間との間のずれのために存在し得る。したがって、モバイルセルラー電話ＭＳ２により導出され、データベース１０に格納された関係が周期的に更新されることが望ましい。その関係は、スプリアスタイミング測定値を避けるために、基地局ＢＳ１に登録されたいくつか又は多くの他のモバイルセルラー電話により個別に導出されることがさらに望ましい。
【００２６】
図３及び図４に示される別の構成においては、例えば、モバイルセルラー電話ＭＳ１のユーザがオンラインバンキングウェブサイトから預金残高を確認するようなインターネットベースサービスを要求すること、又はオンライン購買を行うことを望むとする。さらに、ＧＰＳタイムスタンプがユーザの要求を有効にするために必要とされるとする。モバイルセルラー電話ＭＳ１は、図３に示すように、基地局ＢＳ１、セルラーネットワークシステムコントローラ（ＳＣ）３０、及び公衆交換電話ネットワーク３１を介して送受信することにより、まず従来の方法でインターネット（ｗｗｗ）３２にアクセスする。インターネットベースサービスプロバイダ（ＳＰ）は、図４により詳細に示されるように、特にモバイル電話ＭＳ１と通信を行う送信機及び受信機４０と、マイクロプロセッサ４１と、すべての必要な情報を格納するデータベース４２とを有する電話ＭＳ１と通信するためにウェブに接続された通信装置３３を使用する。
【００２７】
さらに、例えば、モバイルセルラー電話ＭＳ１が都会か峡谷のいずれかにあり、ＧＰＳを導出するための十分なＧＰＳ信号を捕捉することができないか又は、そのＧＰＳ受信機が機能しない（又はＧＰＳ受信機を全く有しない）とする。ローカルＧＳＭ時間とＧＰＳ時間との関係の推定は、ＧＰＳ時間の推定値が導出され得る上記ステップ（１）〜（３）と同じ方法でモバイル電話ＭＳ１に提供され得る。この推定値は、ＧＰＳ信号を捕捉する必要なく、すなわちＧＰＳ信号を逆拡散する必要なく、インターネットベースサービスプロバイダに提供され得る。あるいは、ＧＰＳ時間の推定値は、ＧＰＳ時間の正確な推定値を導出するためにＧＰＳ信号を逆拡散するために使用され得る。
【００２８】
また、モバイル電話ＭＳ２において導出されたローカルＧＳＭ時間とＧＰＳ時間との間の関係がシステムコントローラに接続されたデータベースを介して電話ＭＳ１に渡される一方、この関係が直接通信、例えばブルートゥース又は電話ＭＳ１とＭＳ２との間の他のショートレンジの通信リンクにより渡され、又は電話ＭＳ１のユーザに他のサービスを提供する同じプロバイダをことにより含むインターネットベースサービスプロバイダを介して渡され得ることが分かる。
【００２９】
ＧＳＭ時間とＧＰＳ時間との間の関係は、ハイパー、スーパー、マルチ及びシングルフレーム数並びにタイムスロット情報を含む上記実施例におけるような全てのＧＳＭタイミング情報に基づき得る。しかしながら、要求される推定の精度により、この全ての情報が提供されることは必要ではない。例えば、フレーム数が、到来ＧＰＳ信号の観察されるドップラーを推定するために及びコード位相同期のためのサーチを制限するためになおも十分である４．６１５ｍｓインターバルに対する推定値を提供するとき、迅速なＴＴＦＦを保証する。タイムスタンプを提供する目的では、ＧＳＭハイパー及びスーパーフレーム数にすべて基づくＧＳＭ時間とＧＰＳ時間との間の関係は十分であり得る。
【００３０】
本発明は、ＵＳ防衛部門により開発され現在操作される全天候型スペースベースナビゲーションシステムであるＮＡＶＳＴＡＲ ＧＰＳのコンテキストに大部分記載されている。しかしながら、ＧＰＳの一般の基本原理が普遍的であり、ＮＡＶＳＴＡＲに単に制限されないということが分かる。したがって、ＧＰＳは、異なる場所の複数の無線送信機と、ＧＬＯＮＡＳＳ， Ｇａｌｉｌｅｏを含む無線送信機の送信の到達時間に基づいてその場所を決定する受信機とを有するいかなるポジショニングシステムに関することを意図する。
【００３１】
また、この開示を読むことから、他の変形例は、当業者に明らかであり、ＧＰＳ受信機及びモバイル通信デバイス両方のデザイン、製造及び用途、並びにそれらの部品においてすでに既知であり、すでにここで記載された形態の代わりに又はそれに加えて使用され得る、他の形態も含むことは明らかであろう。
【図面の簡単な説明】
【図１】図１は、ＧＳＭセルラー電話ネットワークの地理的レイアウトを示す。
【図２】図２は、図１のモバイルセルラー電話ＭＳ１及びＭＳ２の構成をより詳細に示す。
【図３】図３は、セルラー電話ＭＳ１及びＭＳ２とリモート・インターネットベースのサービスプロバイダとの接続を示す。
【図４】図４は、図３のリモート・インターネットベースのサービスプロバイダにより使用される装置を示す。
【国際公開パンフレット】
2004522172.tif 000003
2004522172.tif 000004
2004522172.tif 000005
2004522172.tif 000006
2004522172.tif 000007
2004522172.tif 000008
2004522172.tif 000009
2004522172.tif 000010
2004522172.tif 000011
2004522172.tif 000012
2004522172.tif 000013
2004522172.tif 000014
2004522172.tif 000015
2004522172.tif 000016
2004522172.tif 000017
2004522172.tif 000018
2004522172.tif 000019
【国際調査報告】
2004522172.tif 000020
2004522172.tif 000021
2004522172.tif 000022
2004522172.tif 000023